(57)【要約】【課題】  簡単に抜き型に固定でき、種々の厚さの抜き型に兼用することができ、リサイクル可能であり、軽量であり、安価で、長期間の保管にも耐え得る抜き型と図面の一体保管に用いる図面ホルダーを提供することを目的とする。【解決手段】  抜き型と一体に筒状に丸めた図面を保管するための図面ホルダーにおいて、弾性を有する線材を成形してなる、筒状に丸めた図面が挿入される一側が半環状に成形され、他側が開口を有するように形成された複数の半環状部２、半環状部２の開口側の両端から他方側方向に延びる延在部３、半環状部２の開口側から抜き型を挟持するように、延在部３同士を連結した一対の連結部４を有し、連結部４の一方に、挟持する方向へ突出する凸部４ａが形成され、半環状部２と半環状部２の両端から延びる延在部３とが有するバネ性により、連結部４及び凸部４ａが狭持・押圧するようにした。【選択図】        図１
2006118537.tif 000002
【特許請求の範囲】
【請求項１】
紙器用原紙を打ち抜く抜き型に、上記抜き型と一体に筒状に丸めた図面を保管するための図面ホルダーにおいて、
弾性を有する線材を成形してなる、
上記筒状に丸めた図面が挿入される一側が半環状に成形され、他側が開口を有するように形成された複数の半環状部と、
上記半環状部の上記開口側の両端から上記他側方向に延びる延在部と、
上記半環状部の上記開口側から上記抜き型を挟持するように、上記延在部同士を連結した一対の連結部とを有し、
上記連結部の少なくともいずれか一方に、挟持する方向へ突出する凸部が形成され、
上記複数の半環状部と上記半環状部の両端から延びる上記延在部とがバネ性を有し、
上記バネ性により、上記連結部及び連結部に形成された上記凸部が上記抜き型を狭持・押圧するようにした、
ことを特徴とする図面ホルダー。
【請求項２】
上記弾性を有する線材は、鋼線であることを特徴とする請求項１記載の図面ホルダー。
【請求項３】
上記鋼線は、メッキされていることを特徴とする請求項２記載の図面ホルダー。
【請求項４】
上記鋼線は、有機被膜により被覆されていることを特徴とする請求項２記載の図面ホルダー。
【請求項５】
上記弾性を有する線材は、プラスチック製であることを特徴とする請求項１記載の図面ホルダー。
【発明の詳細な説明】
【技術分野】
【０００１】
本発明は、紙器用原紙を打ち抜く抜き型に、上記抜き型と一体に筒状に丸めた図面を保管するための図面ホルダーに関するものである。
【背景技術】
【０００２】
紙器は、紙器用原紙から抜き型により平面状の紙器形状を打ち抜き、打ち抜いた後に所定形状に折りたたみ、所定箇所を糊付けするなどによって固定し製造される。
【０００３】
抜き型は、通常、打ち抜こうとする形状及び大きさに対応して配置された多数の切断刃と、折りたたみ箇所に罫線を形成するために配置された多数の罫線刃とを、木型に備えている。
【０００４】
抜き装置に抜き型を設置した際に、設置における精度の問題により、切断刃または罫線刃から紙器用原紙に掛かる圧力が均一でなくなり、高い圧力が掛かる領域や低い圧力しか掛からない領域が局所的に生じ、打ち抜きあるいは罫線の形成に不具合が生ずる。
【０００５】
このため、通常、切断刃または罫線刃から紙器用原紙に掛かる圧力を均一化するための作業、いわゆるムラ取り作業が行われる。
【０００６】
このムラ取り作業では、木型における切断刃及び罫線刃の配置が転写されたシート（図面）を抜き型の裏側に配置した状態で紙器用原紙から紙器形状を打ち抜く作業が数回行われ、加工状態が悪い箇所があればシート（図面）において加工状態が悪い箇所に相当する領域上にテープ、シート、薄い金属等の薄片を貼付し、加工状態が悪い箇所の切断刃または罫線刃から紙器用原紙に掛かる圧力を大きくするなどにより圧力を均一化する（特許文献１）。
【０００７】
【特許文献１】特開２００４−２０２６１７号公報（第２頁）
【発明の開示】
【発明が解決しようとする課題】
【０００８】
以上のように、紙器の打ち抜きに用いる抜き型と、この抜き型の切断刃及び罫線刃の配置が転写された図面とは紙器の打ち抜きにおいて一体にして用いるものであるので、抜き型とこの抜き型の切断刃及び罫線刃の配置が転写された図面とは一体に保管する必要がある。
【０００９】
抜き型と図面との一体保管には簡単に固定でき、種々の厚さの抜き型に兼用することができ、リサイクル可能であり、軽量であり、安価であることが望まれる。
【００１０】
従来、抜き型と図面の一体保管には、筒状に丸めた図面を抜き型に粘着材が塗布されたテープで固定する等の方法が採用されていた。
【００１１】
この粘着材が塗布されたテープによる方法によれば、種々の厚さの抜き型に対応でき、軽量で、安価であるが、長期間の保管の間に粘着材が劣化して抜き型と図面とがバラバラになってしまうという問題がある。
【００１２】
この発明は上記のような事項に鑑みなされたものであり、簡単に抜き型に固定でき、種々の厚さの抜き型に兼用することができ、リサイクル可能であり、軽量であり、安価で、長期間の保管にも耐え得る抜き型と図面の一体保管に用いる図面ホルダーを提供することを目的とする。
【課題を解決するための手段】
【００１３】
本発明に係る図面ホルダーは、紙器用原紙を打ち抜く抜き型に、上記抜き型と一体に筒状に丸めた図面を保管するための図面ホルダーにおいて、
弾性を有する線材を成形してなる、
上記筒状に丸めた図面が挿入される一側が半環状に成形され、他側が開口を有するように形成された複数の半環状部と、
上記半環状部の上記開口側の両端から上記他側方向に延びる延在部と、
上記半環状部の上記開口側から上記抜き型を挟持するように、上記延在部同士を連結した一対の連結部とを有し、
上記連結部の少なくともいずれか一方に、挟持する方向へ突出する凸部が形成され、
上記複数の半環状部と上記半環状部の両端から延びる上記延在部とがバネ性を有し、
上記バネ性により、上記連結部及び連結部に形成された上記凸部が上記抜き型を狭持・押圧するようにしたものである。
【発明の効果】
【００１４】
本発明に係る図面ホルダーによれば、ワンタッチで簡単に図面ホルダーを抜き型と一体化することができ、種々の厚さの抜き型に兼用することができ、リサイクル可能であり、軽量であるので収納が楽であり、安価で、長期間の保管にも抜き型からはずれることなく耐えることができる。
【発明を実施するための最良の形態】
【００１５】
実施の形態１．
図１は、本発明に係る図面ホルダーの実施の形態１を示す図であり、（ａ）は正面図、（ｂ）は側面図、（ｃ）は下面図である。図２は、抜き型に図面ホルダーを固定する工程を示す斜視図である。
【００１６】
図１に示したように、図面ホルダー１は、バネ鋼からなる線材を成形してなるものであり、一側が半環状に成形され、他側が開口するように形成された二つの半環状部２、半環状部２の開口側の両端から他側方向へ延在する延在部３、半環状部２の開口側から、図２（ｃ）に示したように、抜き型を挟持するように、延在部３同士を連結した一対の連結部４を有し、連結部４の一方には、挟持する方向へ突出する一対の凸部４ａが形成されている。
【００１７】
図２（ａ）に示したように、抜き型５において図面ホルダー１を取り付ける所定の箇所に、一対の突起６ａと抜き型５の端面に当接する押し当て部６ｂを有する治具６によって、図２（ｂ）に示したように、抜き型５の端面から一定の位置に一対のくぼみ５ａを形成し、図２（ｃ）に示したように、くぼみ５ａに、図面ホルダー１の連結部４に形成された一対の凸部を嵌め込むことにより、図面ホルダー１を抜き型５に固定することができ、図面を筒状にして半環状部２に挿入することにより、抜き型５に図面を一体化することができる。
【００１８】
この時、図面ホルダー１の半環状部２と、半環状部２の両端から延在する延在部３とがバネ性を有するので、一対の連結部４間を広げて一対の連結部４を抜き型５に挿入し、くぼみ５ａに図面ホルダー１の連結部４に形成された一対の凸部４ａを簡単に嵌め込み、また、図面ホルダー１を抜き型５に強固に固定することができる。
【００１９】
また、図面ホルダー１の半環状部２と半環状部２の両端から延在する延在部３が有するバネ性によって、種々の厚さの抜き型５に兼用することができる。
【００２０】
また、図面ホルダー１は、バネ鋼からなる線材を成形したものであるので、リサイクルが可能であり、軽量なものとなり収納が楽で、安価で、長期間の保管にも抜き型５からはずれることなく耐えることができる。
【００２１】
なお、本実施の形態１で、半環状部２が二つの場合を示したが三つ以上でもよく、凸部４ａが両方の連結部４に形成されていてもよい。
【００２２】
実施の形態２．
上記実施の形態１では、図面ホルダー１の線材にバネ鋼を用いた例を示したが、このバネ鋼からなる図面ホルダー１の線材の表面に、通常のメッキによる方法でニッケルメッキ、クロムメッキなどを施すことによって耐食性が向上し、さらに長期間の使用に耐えるようにすることができる。
【００２３】
また、図面ホルダー１の線材表面を有機被膜で被覆しても同様に、耐食性が向上し、さらに長期間の使用に耐えるようにすることができる。
【００２４】
また、図面ホルダー１の線材を弾性を有するプラスチック材料とすることによって、さらに軽量化することができる。
【産業上の利用可能性】
【００２５】
本発明に係る図面ホルダーによれば、抜き型と一体に筒状に丸めた図面を簡単に、かつ、長期間にわたって安定に保管することができる。
【図面の簡単な説明】
【００２６】
【図１】本発明に係る図面ホルダーの実施の形態１を示す図である。
【図２】抜き型に図面ホルダーを固定する工程を示す斜視図である。
【符号の説明】
【００２７】
１  図面ホルダー、２半環状部、３  延在部、４  連結部、４ａ  凸部、５  抜き型、５ａ  くぼみ、６  治具、６ａ   突起、６ｂ  押し当て部。
【図１】
2006118537.tif 000003
【図２】
2006118537.tif 000004